(57)【要約】【課題】孔版製版の無駄をできるだけ省いて装置のランニングコストを抑制し、印刷までの処理時間をより高速化できる両面孔版印刷装置およびその孔版製版方法を提供する。【解決手段】原稿読取部１０により見開き原稿を読み取り、画像処理部１２の原稿データ分割手段では、読み取ったデータを第１および第２のページ原稿データに分割し、画像処理部１２の白紙判定手段では、第１および第２のページ原稿データについてそれぞれ白紙か否かを判定し、第１または第２のページ原稿データが白紙であるときには、製版部３０による該ページ原稿データに対応する孔版製版を行わないことを特徴とする。【選択図】図１
2010125628.tif 000002
【特許請求の範囲】
【請求項１】
第１および第２のドラムを備えた両面孔版印刷装置であって、
見開き原稿を読み取る原稿読取手段と、
前記原稿読取手段により読み取ったデータを第１および第２のページ原稿データに分割する原稿データ分割手段と、
前記第１および第２のページ原稿データに基づきそれぞれ第１および第２のドラムに着版する孔版を製版する製版手段と、
を有することを特徴とする両面孔版印刷装置。
【請求項２】
第１および第２のドラムを備えた両面孔版印刷装置であって、
Ｎ（Ｎは任意の正整数）面の見開き原稿を読み取る原稿読取手段と、
前記原稿読取手段により読み取ったデータを第１および第２のページ原稿データに分割する原稿データ分割手段と、
奇数面目の見開き原稿データを第１の記憶領域に、偶数面目の見開き原稿データを第２の記憶領域にそれぞれ記憶する記憶手段と、
印刷物1ページ目の製版時には、前記第１の記憶領域における第１のページ原稿データに基づき裏面用の孔版を製版し、表面用の孔版を製版せず、印刷物３ページ以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎ＋１ページ目の製版時には、前記第１または第２の記憶領域における第２のページ原稿データに基づき表面用の孔版を製版し、裏面用の孔版を製版しない製版手段と、
を有することを特徴とする両面孔版印刷装置。
【請求項３】
前記第１および第２のページ原稿データについてそれぞれ白紙か否かを判定する白紙判定手段を有し、
前記製版手段は、前記第１または第２のページ原稿データが白紙であるとき、該ページ原稿データに対応する孔版を製版しないことを特徴とする請求項１または請求項２の何れか１項に記載の両面孔版印刷装置。
【請求項４】
第１および第２のドラムを備えた両面孔版印刷装置であって、
両面に印刷された原稿を読み取る原稿読取手段と、
前記原稿の表面および裏面をそれぞれ第１および第２のページとして、前記原稿読取手段により読み取った第１および第２のページ原稿データについてそれぞれ白紙か否かを判定する白紙判定手段と、
前記第１および第２のページ原稿データに基づきそれぞれ前記第１および第２のドラムに着版する孔版を製版する製版手段と、を有し、
前記製版手段は、前記第１または第２のページ原稿データが白紙であるとき、該ページ原稿データに対応する孔版を製版しないことを特徴とする両面孔版印刷装置。
【請求項５】
原稿のページの増順が左から右であるか、或いは右から左であるかを設定するページ順設定手段を有し、
前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする請求項１〜請求項３の何れか１項に記載の両面孔版印刷装置。
【請求項６】
前記第１または第２のページが白紙である旨を設定する白紙設定手段を有し、
前記製版手段は、前記第１または第２のページが白紙であるとき、該ページのページ原稿データに対応する孔版を製版しないことを特徴とする請求項１〜請求項５の何れか１項に記載の両面孔版印刷装置。
【請求項７】
前記第１または第２のページ原稿データが白紙であるときの前記製版手段による製版／無製版を設定する白紙無製版設定手段を有し、
前記製版手段は、前記白紙無製版設定手段により無製版設定がなされたときに、白紙のページ原稿データに対応する孔版を製版しないことを特徴とする請求項１〜請求項６の何れか１項に記載の両面孔版印刷装置。
【請求項８】
前記第１のドラムに着版された孔版により印刷されたファーストプリントについてユーザ評価を設定する評価設定手段を有し、
前記製版手段は、前記評価設定手段により所定の評価が設定されないとき、前記第２のドラムに着版する孔版を製版しないことを特徴とする請求項１〜請求項７の何れか１項に記載の両面孔版印刷装置。
【請求項９】
画像形成部を有する画像形成装置であって、
Ｎ（Ｎは任意の正整数）面の見開き原稿を読み取る原稿読取手段と、
前記原稿読取手段により読み取ったデータを第１および第２のページ原稿データに分割する原稿データ分割手段と、
奇数面目の見開き原稿データを第１の記憶領域に、偶数面目の見開き原稿データを第２の記憶領域にそれぞれ記憶する記憶手段と、
１ページ目の印刷用紙への印刷時には、前記第１の記憶領域における第１のページ原稿データに基づき裏面の印刷をし、表面の印刷をせず、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面を印刷し、裏面の印刷をしないよう制御する制御手段と、
を有することを特徴とする画像形成装置。
【請求項１０】
原稿のページの増順が左から右であるか、或いは右から左であるかを設定するページ順設定手段を有し、
前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする請求項９に記載の画像形成装置。
【請求項１１】
第１および第２のドラムを備えた両面孔版印刷装置の孔版製版方法であって、
見開き原稿を読み取る原稿読取ステップと、
前記原稿読取ステップで読み取ったデータを第１および第２のページ原稿データに分割する原稿データ分割ステップと、
前記第１および第２のページ原稿データに基づきそれぞれ第１および第２のドラムに着版する孔版を製版する製版ステップと、
を有することを特徴とする両面孔版印刷装置の孔版製版方法。
【請求項１２】
第１および第２のドラムを備えた両面孔版印刷装置の孔版製版方法であって、
Ｎ（Ｎは任意の正整数）面の見開き原稿を読み取る原稿読取ステップと、
前記原稿読取手段により読み取ったデータを第１および第２のページ原稿データに分割する原稿データ分割ステップと、
奇数面目の見開き原稿データを第１の記憶領域に、偶数面目の見開き原稿データを第２の記憶領域にそれぞれ記憶する記憶ステップと、
印刷物1ページ目の製版時には、前記第１の記憶領域における第１のページ原稿データに基づき裏面用の孔版を製版し、表面用の孔版を製版せず、印刷物３ページ目以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎ＋１ページ目の製版時には、前記第１または第２の記憶領域における第２のページ原稿データに基づき表面用の孔版を製版し、裏面用の孔版を製版しない製版ステップと、
を有することを特徴とする両面孔版印刷装置の孔版製版方法。
【請求項１３】
画像形成部を有する画像形成装置の画像形成方法であって、
Ｎ（Ｎは任意の正整数）面の見開き原稿を読み取る原稿読取ステップと、
前記原稿読取手段により読み取ったデータを第１および第２のページ原稿データに分割する原稿データ分割ステップと、
奇数面目の見開き原稿データを第１の記憶領域に、偶数面目の見開き原稿データを第２の記憶領域にそれぞれ記憶する記憶ステップと、
１ページ目の印刷用紙への印刷時には、前記第１の記憶領域における第１のページ原稿データに基づき裏面の印刷をし、表面の印刷をせず、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面を印刷し、裏面の印刷をしないよう制御する制御ステップと、
を有することを特徴とする画像形成装置の画像形成方法。
【発明の詳細な説明】
【技術分野】
【０００１】
本発明は両面孔版印刷装置およびその孔版製版方法に係り、特に、孔版製版の無駄をできるだけ省いて装置のランニングコストを抑制すると共に、印刷までの処理時間をより高速化できる両面孔版印刷装置およびその孔版製版方法並びに画像形成装置およびその画像形成方法に関する。
【背景技術】
【０００２】
近年の複写機能を備えた印刷機では、雑誌や本などの中央で綴じられている見開き原稿を複写印刷するブックモード印刷機能を備えたものが種々開発されている。このようなブックモード印刷では、原稿の周囲や原稿中央の綴じ部分に陰ができるため、該当部分を消去または写真処理するなどの画像処理を施して印刷物の見栄えを良くする技法が種々提案されている。例えば、特開２００６−１８６９４６号公報の「画像処理装置」では、原稿の中央を数量的に求めて該中央から用紙の長辺方向に一定距離の領域を無画像とする画像補正を行う手法が提案されている。また、このブックモード印刷機能は孔版印刷装置においても、一機能として多くの機種に適用されている。
【０００３】
また他方では、印刷機における印刷用紙を節約するための技法として両面印刷機能があり、この両面印刷機能も一機能として多くの機種に適用されている。例えば、特開２００５−２１９３４６号公報の「両面印刷装置」では、原稿画像に応じた製版モードを表面および裏面について個別に設定可能として、良好な印刷物を得る技法が開示されている。
【０００４】
また、上記ブックモード印刷機能を両面印刷機に適用して、見開き原稿の右ページおよび左ページをそれぞれ印刷用紙の表面および裏面に印刷する技術も、例えば、特開平１０−２６８７０２号公報「画像形成装置」や特開平１１−６５３６４号公報「画像形成装置」に開示されている。
【０００５】
【特許文献１】特開２００６−１８６９４６号公報
【特許文献２】特開２００５−２１９３４６号公報
【特許文献３】特開平１０−２６８７０２号公報
【特許文献４】特開平１１−６５３６４号公報
【発明の開示】
【発明が解決しようとする課題】
【０００６】
ところで、両面印刷機能を備えた２ドラム方式の両面孔版印刷装置において、例えば、見開き原稿を印刷用紙の表裏両面に複写印刷する場合には、その見開き原稿の右ページおよび左ページのページ毎に原稿を読み取り、読み取った右ページおよび左ページの原稿データに基づきそれぞれ第１および第２のドラムに着版する孔版を製版していた。
【０００７】
つまり、ユーザはページ毎に原稿を読み取り台上に設置する必要があり、また、原稿の左ページと右ページとで天地が逆となってしまい、読み取り方向を変えるか、或いは読み取り後の原稿データを回転させるなどの手間が別途必要であった。このような事情から、両面孔版印刷装置において、１回の読み取り動作で見開き原稿を印刷用紙の表裏両面に複写印刷できる機能が要望されていた。なお、孔版印刷装置では孔版を用いて印刷を行うことから、ファーストプリント等の特別な処理があり、またランニングコスト軽減のために版の無駄を無くす必要があるなど、上記従来の印刷機（特許文献３および特許文献４）における技術をそのまま適用することはできないという事情もあった。
【０００８】
また、雑誌や本などの見開き原稿（横書き）を複数ページに渡って両面印刷する場合、通常、見開き原稿の左ページが印刷用紙の表面に、見開き原稿の右ページが印刷用紙の裏面にそれぞれ印刷されることとなるが、印刷された複数ページを綴じてみたとき、原稿紙と印刷紙とで表裏が逆となって、原稿（雑誌や本など）そのままの状態で複製されていなかった。このような事情から、両面孔版印刷装置において、雑誌や本などの見開き原稿を複数ページに渡って原稿そのままの状態で複製したいという要望もあった。
【０００９】
また、例えば書籍などの場合、該書籍の始めと終わりの数ページや、章または節等が変わるところでは、白紙のページが挿入されていることが多くあり、このような白紙ページについても孔版を製版し、ドラムに着版して、印刷時には該ドラムに付属のプレスローラで印圧をかけるという一連の処理を、本来不要であるにもかかわらず行っていた。このような孔版の無駄はランニングコストに影響し、製版、着版および印圧の各処理の無駄は処理時間にも影響することから、改善が望まれていた。
【００１０】
また、孔版印刷装置ではファーストプリントという特別な処理があるが、上記従来の具体例では、見開き原稿の右ページおよび左ページについて印刷した後に、即ち印刷用紙の表裏の両面について製版、着版および印圧の各処理を行った後に、ファーストプリントを評価している。したがって、先に印刷される例えば表面についてのファーストプリントの評価が思わしくなかった場合には、再度原稿の読み取りから行うこととなるが、印刷用紙の表面用の孔版だけでなく、裏面用の孔版も無駄となってしまうという事情もあった。
【００１１】
本発明は、上記従来の事情に鑑みてなされたものであって、１回の読み取り動作で見開き原稿を印刷用紙の表裏両面に複写印刷可能な両面孔版印刷装置およびその孔版製版方法を提供することを目的としている。
【００１２】
また本発明の他の目的は、雑誌や本などの見開き原稿を複数ページに渡って原稿そのままの状態で複製し得る両面孔版印刷装置およびその孔版製版方法並びに画像形成装置およびその画像形成方法を提供することにある。
【００１３】
さらに本発明の他の目的は、孔版製版の無駄をできるだけ省いて装置のランニングコストを抑制し得ると共に、印刷までの処理時間をより高速化し得る両面孔版印刷装置およびその孔版製版方法を提供することを目的としている。
【課題を解決するための手段】
【００１４】
上記目的を解決するため、請求項１に記載の発明は、第１および第２のドラムを備えた両面孔版印刷装置であって、見開き原稿を読み取る原稿読取手段と、前記原稿読取手段により読み取ったデータを第１および第２のページ原稿データに分割する原稿データ分割手段と、前記第１および第２のページ原稿データに基づきそれぞれ第１および第２のドラムに着版する孔版を製版する製版手段と、を有することを特徴とする。
【００１５】
また、請求項２に記載の発明は、第１および第２のドラムを備えた両面孔版印刷装置であって、Ｎ（Ｎは任意の正整数）面の見開き原稿を読み取る原稿読取手段と、前記原稿読取手段により読み取ったデータを第１および第２のページ原稿データに分割する原稿データ分割手段と、奇数面目の見開き原稿データを第１の記憶領域に、偶数面目の見開き原稿データを第２の記憶領域にそれぞれ記憶する記憶手段と、印刷物1ページ目の製版時には、前記第１の記憶領域における第１のページ原稿データに基づき裏面用の孔版を製版し、表面用の孔版を製版せず、印刷物３ページ以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎ＋１ページ目の製版時には、前記第１または第２の記憶領域における第２のページ原稿データに基づき表面用の孔版を製版し、裏面用の孔版を製版しない製版手段と、を有することを特徴とする。
【００１６】
また、請求項３に記載の発明は、請求項１または請求項２の何れか１項に記載の両面孔版印刷装置において、前記第１および第２のページ原稿データについてそれぞれ白紙か否かを判定する白紙判定手段を有し、前記製版手段は、前記第１または第２のページ原稿データが白紙であるとき、該ページ原稿データに対応する孔版を製版しないことを特徴とする。
【００１７】
また、請求項４に記載の発明は、第１および第２のドラムを備えた両面孔版印刷装置であって、両面に印刷された原稿を読み取る原稿読取手段と、前記原稿の表面および裏面をそれぞれ第１および第２のページとして、前記原稿読取手段により読み取った第１および第２のページ原稿データについてそれぞれ白紙か否かを判定する白紙判定手段と、前記第１および第２のページ原稿データに基づきそれぞれ前記第１および第２のドラムに着版する孔版を製版する製版手段と、を有し、前記製版手段は、前記第１または第２のページ原稿データが白紙であるとき、該ページ原稿データに対応する孔版を製版しないことを特徴とする。
【００１８】
また、請求項５に記載の発明は、請求項１〜請求項３の何れか１項に記載の両面孔版印刷装置において、原稿のページの増順が左から右であるか、或いは右から左であるかを設定するページ順設定手段を有し、前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする。
【００１９】
また、請求項６に記載の発明は、請求項１〜請求項５の何れか１項に記載の両面孔版印刷装置において、前記第１または第２のページが白紙である旨を設定する白紙設定手段を有し、前記製版手段は、前記第１または第２のページが白紙であるとき、該ページのページ原稿データに対応する孔版を製版しないことを特徴とする。
【００２０】
また、請求項７に記載の発明は、請求項１〜請求項６の何れか１項に記載の両面孔版印刷装置において、前記第１または第２のページ原稿データが白紙であるときの前記製版手段による製版／無製版を設定する白紙無製版設定手段を有し、前記製版手段は、前記白紙無製版設定手段により無製版設定がなされたときに、白紙のページ原稿データに対応する孔版を製版しないことを特徴とする。
【００２１】
また、請求項８に記載の発明は、請求項１〜請求項７の何れか１項に記載の両面孔版印刷装置において、前記第１のドラムに着版された孔版により印刷されたファーストプリントについてユーザ評価を設定する評価設定手段を有し、前記製版手段は、前記評価設定手段により所定の評価が設定されないとき、前記第２のドラムに着版する孔版を製版しないことを特徴とする。
【００２２】
また、請求項９に記載の発明は、画像形成部を有する画像形成装置であって、Ｎ（Ｎは任意の正整数）面の見開き原稿を読み取る原稿読取手段と、前記原稿読取手段により読み取ったデータを第１および第２のページ原稿データに分割する原稿データ分割手段と、奇数面目の見開き原稿データを第１の記憶領域に、偶数面目の見開き原稿データを第２の記憶領域にそれぞれ記憶する記憶手段と、１ページ目の印刷用紙への印刷時には、前記第１の記憶領域における第１のページ原稿データに基づき裏面の印刷をし、表面の印刷をせず、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面を印刷し、裏面の印刷をしないよう制御する制御手段と、を有することを特徴とする。
【００２３】
また、請求項１０に記載の発明は、請求項９に記載の画像形成装置において、原稿のページの増順が左から右であるか、或いは右から左であるかを設定するページ順設定手段を有し、前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする。
【００２４】
また、請求項１１に記載の発明は、第１および第２のドラムを備えた両面孔版印刷装置の孔版製版方法であって、見開き原稿を読み取る原稿読取ステップと、前記原稿読取ステップで読み取ったデータを第１および第２のページ原稿データに分割する原稿データ分割ステップと、前記第１および第２のページ原稿データに基づきそれぞれ第１および第２のドラムに着版する孔版を製版する製版ステップと、を有することを特徴とする。
【００２５】
また、請求項１２に記載の発明は、第１および第２のドラムを備えた両面孔版印刷装置の孔版製版方法であって、Ｎ（Ｎは任意の正整数）面の見開き原稿を読み取る原稿読取ステップと、前記原稿読取手段により読み取ったデータを第１および第２のページ原稿データに分割する原稿データ分割ステップと、奇数面目の見開き原稿データを第１の記憶領域に、偶数面目の見開き原稿データを第２の記憶領域にそれぞれ記憶する記憶ステップと、印刷物1ページ目の製版時には、前記第１の記憶領域における第１のページ原稿データに基づき裏面用の孔版を製版し、表面用の孔版を製版せず、印刷物３ページ目以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎ＋１ページ目の製版時には、前記第１または第２の記憶領域における第２のページ原稿データに基づき表面用の孔版を製版し、裏面用の孔版を製版しない製版ステップと、を有することを特徴とする。
【００２６】
また、請求項１３に記載の発明は、画像形成部を有する画像形成装置の画像形成方法であって、Ｎ（Ｎは任意の正整数）面の見開き原稿を読み取る原稿読取ステップと、前記原稿読取手段により読み取ったデータを第１および第２のページ原稿データに分割する原稿データ分割ステップと、奇数面目の見開き原稿データを第１の記憶領域に、偶数面目の見開き原稿データを第２の記憶領域にそれぞれ記憶する記憶ステップと、１ページ目の印刷用紙への印刷時には、前記第１の記憶領域における第１のページ原稿データに基づき裏面の印刷をし、表面の印刷をせず、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面を印刷し、裏面の印刷をしないよう制御する制御ステップと、を有することを特徴とする。
【発明の効果】
【００２７】
請求項１に記載の発明によれば、原稿データ分割手段において、原稿読取手段により読み取ったデータを第１および第２のページ原稿データに分割し、製版手段により、第１および第２のページ原稿データに基づきそれぞれ第１および第２のドラムに着版する孔版を製版するので、１回の読み取り動作で見開き原稿を印刷用紙の表裏両面に複写印刷可能な両面孔版印刷装置を実現することができる。
【００２８】
また、請求項２に記載の発明によれば、原稿データ分割手段において、原稿読取手段により読み取ったデータを第１および第２のページ原稿データに分割し、また記憶手段において、奇数面目の見開き原稿データを第１の記憶領域に、偶数面目の見開き原稿データを第２の記憶領域にそれぞれ記憶し、製版手段により、印刷物1ページ目の製版時には、第１の記憶領域における第１のページ原稿データに基づき裏面用の孔版を製版し、表面用の孔版を製版せず、印刷物３ページ目以降の奇数ページ目の製版時には、第２の記憶領域における第２のページ原稿データに基づき表面用の孔版を製版し、第１の記憶領域における第１のページ原稿データに基づき裏面用の孔版を製版し、印刷物偶数ページ目の製版時には、第１の記憶領域における第２のページ原稿データに基づき表面用の孔版を製版し、第２の記憶領域における第１のページ原稿データに基づき裏面用の孔版を製版し、印刷物Ｎ＋１ページ目の製版時には、第１または第２の記憶領域における第２のページ原稿データに基づき表面用の孔版を製版し、裏面用の孔版を製版しないようにしている。ここで、見開き原稿については該見開き原稿の左右をそれぞれ第１および第２のページと呼び、印刷物については、該印刷物がＮ＋１枚の印刷用紙で構成されるものとしてそれぞれの印刷用紙をページ単位で呼ぶこととしている。
【００２９】
これにより、雑誌や本などの見開き原稿（横書き）を複数ページに渡って両面印刷する場合に、見開き原稿の右ページが印刷用紙の表面に、見開き原稿の左ページが印刷用紙の裏面にそれぞれ印刷されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る両面孔版印刷装置を実現することができる。
【００３０】
また、請求項３に記載の発明によれば、第１および第２のページを含む見開き原稿を読み取って両面印刷する際に、読み取った第１および第２のページ原稿データについて白紙判定手段によりそれぞれ白紙か否かを判定し、第１または第２のページ原稿データが白紙であるとき、製版手段において該ページ原稿データに対応する孔版を製版しないので、白紙ページについては孔版を製版せず、またドラムに着版して、印刷時に該当ドラムに付属のプレスローラで印圧をかけるという一連の処理も行わずに済むこととなる。
【００３１】
また、見開き原稿を複数ページに渡って原稿そのままの状態で複製する際にも、見開き原稿面毎に、読み取った第１および第２のページ原稿データについて白紙判定手段によりそれぞれ白紙か否かを判定し、第１または第２のページ原稿データが白紙であるとき、製版手段において該ページ原稿データに対応する孔版を製版しないので、白紙ページについては孔版を製版せず、またドラムに着版して、印刷時に該当ドラムに付属のプレスローラで印圧をかけるという一連の処理も行わずに済むこととなり、結果として、孔版製版の無駄をできるだけ省いて装置のランニングコストを抑制できると共に、印刷までの処理時間をより高速化し得る両面孔版印刷装置を実現することができる。
【００３２】
また、請求項４に記載の発明によれば、両面に印刷された原稿を読み取って両面印刷する際に、読み取った第１および第２のページ原稿データについて白紙判定手段によりそれぞれ白紙か否かを判定し、第１または第２のページ原稿データが白紙であるとき、製版手段において該ページ原稿データに対応する孔版を製版しないので、白紙ページについては孔版を製版せず、またドラムに着版して、印刷時に該当ドラムに付属のプレスローラで印圧をかけるという一連の処理も行わずに済むこととなり、結果として、孔版製版の無駄をできるだけ省いて装置のランニングコストを抑制できると共に、印刷までの処理時間をより高速化し得る両面孔版印刷装置を実現することができる。
【００３３】
また、請求項５に記載の発明によれば、見開き原稿を複数ページに渡って原稿そのままの状態で複製する際に、読み取った左ページおよび右ページのデータを、ページ順設定手段により原稿のページの増順が左から右に設定されているときには、原稿データ分割手段によりそれぞれ第１のページ原稿データおよび第２のページ原稿データに分割し、ページ順設定手段により原稿のページの増順が右から左に設定されているときには、原稿データ分割手段によりそれぞれ第２のページ原稿データおよび第１のページ原稿データに分割するので、原稿のページの増順が左から右に設定されているときは横書き原稿に対応でき、原稿のページの増順が右から左に設定されているときは縦書き原稿に対応できる。
【００３４】
また、請求項６に記載の発明によれば、白紙設定手段により第１または第２のページが白紙である旨をユーザ設定できるので、上記白紙判定手段が不要となり、白紙判定手段をソフトウェアで実現している場合には該手段が無くなることで処理の高速化を図ることができ、白紙判定手段をハードウェアで実現している場合には該手段が無くなることでコスト低減を図ることができる。
【００３５】
また、請求項７に記載の発明によれば、白紙無製版設定手段により、第１または第２のページ原稿データが白紙であるときの製版手段による製版／無製版をユーザ設定できるので、よりユーザフレンドリーな両面孔版印刷装置を実現することができる。
【００３６】
また、請求項８に記載の発明によれば、第１のドラムに着版された孔版により印刷されたファーストプリントについてユーザが不満足のときには、その旨を評価設定手段によりユーザ設定して、第２のドラムに着版する孔版を製版しないようにすることができ、またドラムに着版して、印刷時に該当ドラムに付属のプレスローラで印圧をかけるという一連の処理も行わずに済むこととなり、結果として、孔版製版の無駄を省くことができる。
【００３７】
また、請求項９に記載の発明によれば、原稿データ分割手段において、原稿読取手段により読み取ったデータを第１および第２のページ原稿データに分割し、また記憶手段において、奇数面目の見開き原稿データを第１の記憶領域に、偶数面目の見開き原稿データを第２の記憶領域にそれぞれ記憶し、制御手段により、１ページ目の印刷用紙への印刷時には、第１の記憶領域における第１のページ原稿データに基づき裏面の印刷をし、表面の印刷をせず、偶数ページ目の印刷用紙への印刷時には、第１の記憶領域における第２のページ原稿データに基づき表面の印刷をすると共に、第２の記憶領域における第１のページ原稿データに基づき裏面の印刷をし、３ページ目以降の奇数ページ目の印刷用紙への印刷時には、第２の記憶領域における第２のページ原稿データに基づき表面の印刷をすると共に、第１の記憶領域における第１のページ原稿データに基づき裏面の印刷をし、Ｎ＋１ページ目の印刷用紙への印刷時には、第１または第２の記憶領域における第２のページ原稿データに基づき表面を印刷し、裏面の印刷をしないよう制御するようにしている。ここで、見開き原稿については該見開き原稿の左右をそれぞれ第１および第２のページと呼び、印刷物については、該印刷物がＮ＋１枚の印刷用紙で構成されるものとしてそれぞれの印刷用紙をページ単位で呼ぶこととしている。
【００３８】
これにより、雑誌や本などの見開き原稿（横書き）を複数ページに渡って両面印刷する際に、見開き原稿の右ページが印刷用紙の表面に、見開き原稿の左ページが印刷用紙の裏面にそれぞれ印刷されるように画像形成されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る画像形成装置を実現することができる。
【００３９】
また、請求項１０に記載の発明によれば、見開き原稿を複数ページに渡って原稿そのままの状態で複製する際に、読み取った左ページおよび右ページのデータを、ページ順設定手段により原稿のページの増順が左から右に設定されているときには、原稿データ分割手段によりそれぞれ第１のページ原稿データおよび第２のページ原稿データに分割し、ページ順設定手段により原稿のページの増順が右から左に設定されているときには、原稿データ分割手段によりそれぞれ第２のページ原稿データおよび第１のページ原稿データに分割するので、原稿のページの増順が左から右に設定されているときは横書き原稿に対応でき、原稿のページの増順が右から左に設定されているときは縦書き原稿に対応できる。
【００４０】
また、請求項１１に記載の発明によれば、原稿データ分割ステップにおいて、原稿読取ステップにより読み取ったデータを第１および第２のページ原稿データに分割し、製版ステップにより、第１および第２のページ原稿データに基づきそれぞれ第１および第２のドラムに着版する孔版を製版するので、１回の読み取り動作で見開き原稿を印刷用紙の表裏両面に複写印刷可能な両面孔版印刷装置の孔版製版方法を実現することができる。
【００４１】
また、請求項１２に記載の発明によれば、原稿データ分割ステップにおいて、原稿読取ステップにより読み取ったデータを第１および第２のページ原稿データに分割し、また記憶ステップにおいて、奇数面目の見開き原稿データを第１の記憶領域に、偶数面目の見開き原稿データを第２の記憶領域にそれぞれ記憶し、製版ステップにより、印刷物1ページ目の製版時には、第１の記憶領域における第１のページ原稿データに基づき裏面用の孔版を製版し、表面用の孔版を製版せず、印刷物３ページ目以降の奇数ページ目の製版時には、第２の記憶領域における第２のページ原稿データに基づき表面用の孔版を製版し、第１の記憶領域における第１のページ原稿データに基づき裏面用の孔版を製版し、印刷物偶数ページ目の製版時には、第１の記憶領域における第２のページ原稿データに基づき表面用の孔版を製版し、第２の記憶領域における第１のページ原稿データに基づき裏面用の孔版を製版し、印刷物Ｎ＋１ページ目の製版時には、第１または第２の記憶領域における第２のページ原稿データに基づき表面用の孔版を製版し、裏面用の孔版を製版しないようにしている。ここで、見開き原稿については該見開き原稿の左右をそれぞれ第１および第２のページと呼び、印刷物については、該印刷物がＮ＋１枚の印刷用紙で構成されるものとしてそれぞれの印刷用紙をページ単位で呼ぶこととしている。
【００４２】
これにより、雑誌や本などの見開き原稿（横書き）を複数ページに渡って両面印刷する場合に、見開き原稿の右ページが印刷用紙の表面に、見開き原稿の左ページが印刷用紙の裏面にそれぞれ印刷されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る両面孔版印刷装置の孔版製版方法を実現することができる。
【００４３】
さらに、請求項１３に記載の発明によれば、原稿データ分割ステップにおいて、原稿読取ステップにより読み取ったデータを第１および第２のページ原稿データに分割し、また記憶ステップにおいて、奇数面目の見開き原稿データを第１の記憶領域に、偶数面目の見開き原稿データを第２の記憶領域にそれぞれ記憶し、制御ステップにより、１ページ目の印刷用紙への印刷時には、第１の記憶領域における第１のページ原稿データに基づき裏面の印刷をし、表面の印刷をせず、偶数ページ目の印刷用紙への印刷時には、第１の記憶領域における第２のページ原稿データに基づき表面の印刷をすると共に、第２の記憶領域における第１のページ原稿データに基づき裏面の印刷をし、３ページ目以降の奇数ページ目の印刷用紙への印刷時には、第２の記憶領域における第２のページ原稿データに基づき表面の印刷をすると共に、第１の記憶領域における第１のページ原稿データに基づき裏面の印刷をし、Ｎ＋１ページ目の印刷用紙への印刷時には、第１または第２の記憶領域における第２のページ原稿データに基づき表面を印刷し、裏面の印刷をしないよう制御するようにしている。ここで、見開き原稿については該見開き原稿の左右をそれぞれ第１および第２のページと呼び、印刷物については、該印刷物がＮ＋１枚の印刷用紙で構成されるものとしてそれぞれの印刷用紙をページ単位で呼ぶこととしている。
【００４４】
これにより、雑誌や本などの見開き原稿（横書き）を複数ページに渡って両面印刷する際に、見開き原稿の右ページが印刷用紙の表面に、見開き原稿の左ページが印刷用紙の裏面にそれぞれ印刷されるように画像形成されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る画像形成装置の画像形成方法を実現することができる。
【発明を実施するための最良の形態】
【００４５】
以下、本発明の両面孔版印刷装置およびその孔版製版方法の実施例について、〔実施例１〕、〔実施例２〕、〔実施例３〕、〔変形例１〕、〔変形例２〕、〔変形例３〕の順に図面を参照して詳細に説明する。
【００４６】
〔実施例１〕
図１および図２を参照して説明する。図１は本実施例に係る両面孔版印刷装置の機能的な構成を示す構成図であり、図２は本実施例に係る両面孔版印刷装置の全体的な構造を示す構成図である。
【００４７】
まず、図２を参照しながら両面孔版印刷装置の全体的な構成について説明する。図２に示すように、本実施例の両面孔版印刷装置１は、大別すると、原稿読取部１０、パネル部２０、製版部３０および印刷部を備えて構成されている。
【００４８】
原稿読取部１０は、原稿の読み取り処理を行うための機構であり、被複写物である原稿をセットする原稿セット台、該原稿セット台上にセットされた原稿を検知する原稿センサ、原稿センサの検知信号により回転駆動される原稿搬送ローラ対、搬送されてきた原稿の画像を光学的に読み取りアナログの電気信号に変換する密着型のイメージセンサ、並びに、イメージセンサで読み取られた原稿を原稿排出トレーに排出するための原稿排出ローラ対などを備えた構成である。
【００４９】
この原稿読取部１０では、制御部１３（図２に図示せず）において、原稿センサからの検知信号を受信すると、原稿搬送ローラ対を回転駆動して原稿を所定方向に向けて搬送させ、イメージセンサにより原稿の画像を光学的に読み取る。画像を読み取った原稿は原稿排出ローラ対により原稿排出トレーに排出される。また、イメージセンサで読み取られた１原稿面分のアナログ信号は、Ａ／Ｄ変換部１１（図２に図示せず）でディジタルデータに変換された後、画像処理部１２（図２に図示せず）へ送られる。
【００５０】
また、製版部３０は、主走査方向に複数の発熱素子がライン状に配列されたサーマルヘッド、孔版原紙ローラから送り出される孔版原紙を該サーマルヘッドに押し当てながら搬送するプラテンローラ、並びに、サーマルヘッドにて製版された孔版を後述する第１ドラム５１または第２ドラム５２のクランプ部に向けて搬送する原紙搬送ローラ対などを備えた構成である。
【００５１】
また、印刷部には、第１ドラム５１、第２ドラム５２、第１プレス部６１、第２プレス部６２、給紙部７１、経路切替部７２、用紙反転部７３、排紙部７４、第１排版部４１および第２排版部４２を備えている。
【００５２】
給紙部７１では、ピックアップローラにより給紙台上に積載され複写物となる印刷用紙が一枚ずつピックアップされ、タイミングローラにより印刷用紙が所定のタイミングで送り出される。タイミングローラより送り出された印刷用紙は、第１プレスローラ６３により第１ドラム５１の外周面に押し付けられて表面が印刷され、第１ドラム５１に付属の分離爪により第１ドラム５１外周面から剥ぎ取られた印刷用紙は搬入部７５を介して用紙反転部７３に供給される。
【００５３】
用紙反転部７３は、その底部に複数個の凹部を有し、（図に対して）右斜め下方向に周動する機構を備えており、当該用紙反転部７３に搬入されて所定時間経過後に搬出部７６に達し、ピックアップローラおよびタイミングローラにより印刷用紙が所定のタイミングで搬出される。つまり、この用紙反転部７３により、表面を上向きにして搬入された印刷用紙は裏面を上向きにして搬出されることとなる。なお、用紙反転部７３における所定時間は印刷用紙の表面に印刷されたインクを乾燥させるためのものである。
【００５４】
搬出部７６のタイミングローラにより所定のタイミングで送り出された印刷用紙は、第２プレスローラ６４により第２ドラム５２の外周面に押し付けられて裏面が印刷され、第２ドラム５２に付属の分離爪により第２ドラム５２外周面から剥ぎ取られた印刷用紙は排紙部７４を介して排紙台に搬出される。
【００５５】
ここで、第１ドラム５１および第２ドラム５２は、一定量のインキをその内面に供給するインキ供給部を内蔵する画像転写用の回転部品であり、その外周面には、それぞれ製版部３０（サーマルヘッド）にて製版され搬送されてきた孔版の先端部をクランプするクランプ部が設けられており、これにクランプされた孔版は、該ドラムを回転させることによりその外周面に巻き付けられて着版される。なお本実施例では、第１ドラム５１では印刷用紙の表面用の孔版が、また第２ドラム５２では印刷用紙の裏面用の孔版がそれぞれ着版されることとする。
【００５６】
また、第１ドラム５１および第２ドラム５２の底部に対してそれぞれ第１プレス部６１の第１プレスローラ６３および第２プレス部６２の第２プレスローラ６４が、任意の制御により接離可能に構成されている。そして、第１ドラム５１と第１プレスローラ６３とに挟まれる印字領域を、第１プレスローラ６３により第１ドラム５１外周面の孔版に押圧されながら印刷用紙が通過することで、表面用孔版画像が印刷用紙表面に転写され、また、第２ドラム５２と第２プレスローラ６４とに挟まれる印字領域を、第２プレスローラ６４により第２ドラム５２外周面の孔版に押圧されながら印刷用紙が通過することで、裏面用孔版画像が印刷用紙裏面に転写されることとなる。
【００５７】
なお、経路切替部７２は、両面印刷時における上述した印刷用紙の搬送路と、片面印刷時および片面印刷の２色印刷時における印刷用紙の搬送路とを切り替えるものであり、当該両面孔版印刷装置１は、両面印刷、片面印刷および２色刷印刷に対応可能である。
【００５８】
さらに、第１排版部４１および第２排版部４２は、それぞれ第１ドラム５１および第２ドラム５２から剥ぎ取られた使用済みの孔版原紙をそれぞれの排版収納箱等に排版するものである。
【００５９】
また、装置本体の上部のパネル部２０には、原稿の読み取りおよび複写を開始させるスキャンコピーキー、原稿モード（文字モード、写真モード等）を設定するモードキー、モード設定した製版や印刷処理などを開始させる製版スタートボタンや印刷スタートボタン等が配置されており、またこれら以外にも、動作中の製版や印刷処理などを停止させるストップキー、操作パネルから設定した項目をリセットするためのリセットキー、印刷枚数、天地位置の移動量などを入力するためのテンキー、選択したモード設定を確認するための設定確認キー、製版処理後に試し刷り印刷を行うための試し刷りキー、印刷位置のセンタリングを行うセンターキー等々が配置されている。
【００６０】
また、パネル部２０には、表示／入力パネルが配置されている。この表示／入力パネルは、前面に配置された感圧式或いは静電式の透明なタッチパネルと、このタッチパネルの裏面に配置された液晶表示パネルとを備えている。ユーザは液晶表示パネルの表示画面を見ながら、タッチパネルの表面を指などで直接触れることで各種パラメータの入力などを行うことができる。例えば、製版や印刷処理を行う際には、タッチパネル下に表示される設定入力画面を通じてソーター機能の設定、両面ブックモード機能の設定、または連写／連続印刷機能の設定などを行うことができる。
【００６１】
次に、両面孔版印刷装置１の制御系に係わる機能的構成を説明する。図１において、制御部１３は、両面孔版印刷装置１全体の動作を制御する部分であり、各種の演算処理やデータの入出力等の処理を実行する中央処理装置（ＣＰＵ、ＭＰＵ等）により構成されている。
【００６２】
この制御部１３には、パネル部２０から入力された各種のコマンドや画像情報、画像処理部１２からの画像データなどを記憶する揮発性メモリ、並びに、制御部１３で実行される制御プログラムなどを記憶する不揮発性メモリ等を備えるメモリ１４が接続され、また、原稿読取部１０を駆動する原稿読取部駆動回路１５、製版部３０の駆動を制御する製版部駆動回路１６、印刷部の駆動を制御する印刷部駆動回路１７、画像処理部１２、パネル部２０が接続されている（この他の接続機器については説明を省略する）。
【００６３】
また、制御部１３、メモリ１４、並びに図示しない入出力インターフェース（Ｉ／Ｏインターフェース）等は、マイクロコンピュータ等により構成することができる。ただし、これら各部を複数のマイクロコンピュータにより構成することも可能であり、原稿読み取り、製版、印刷などの制御の他にも複数の制御を実行する装置として構成しても良い。
【００６４】
次に、図１に示す原稿読取部１０、Ａ／Ｄ変換部１１、画像処理部１２および制御部１３の処理について説明する。原稿読取部１０は、原稿に照射した光の反射光を読み取り、原稿に形成された画像の濃淡をＣＣＤによりアナログ信号に変換（光電変換）してＡ／Ｄ変換部１１に出力する。
【００６５】
Ａ／Ｄ変換部１１は、原稿読取部１０で読み取られたアナログ信号を、例えば８ビット（０〜２５５階調）のディジタルデータに変換して、画像処理部１２に出力する。またこのとき、シェーディング補正などの処理を実施する。
【００６６】
また、画像処理部１２は、Ａ／Ｄ変換部１１で変換されたディジタルデータに対して、原稿モードに応じた孔版用の画像処理を施し、二値化された白黒データとして制御部１３に出力する。例えば、文字モードが選択されたときには、ディジタルデータを単純二値化（閾値を基準にして白黒を決定）して１ビットの白黒データとする。また、写真モードが選択されたときには、ディジタルデータを濃度変換した後、中間調処理（網点・誤差拡散）実施して、周辺画素の疎密等で濃度が表現されるように１ビットの白黒データとする。この白黒データにより全体として写真原稿の濃度（階調）が表現されることになる。
【００６７】
以上のような構成を備えて、本実施例の両面孔版印刷装置１は、原稿読取部１０により見開き原稿を読み取り、原稿データ分割手段では、原稿読取部１０により読み取ったデータを第１および第２のページ原稿データに分割してメモリ１４に記憶し、製版部３０により、第１および第２のページ原稿データに基づきそれぞれ第１ドラム５１および第２ドラム５２に着版する孔版を製版することを第１の特徴として持つ。
【００６８】
ここで、原稿データ分割手段は画像処理部１２が該当し、画像処理部１２を実現するＭＰＵまたはＤＳＰ上で実行されるプログラムのまとまり（原稿データ分割ステップ）として具現される。なお、画像処理部１２をＡＳＩＣ−ＩＣで実現する場合にはハードウェアとして構成されることとなる。
【００６９】
パネル部２０でユーザによりスキャンコピーキーが押下されると、各種設定の選択画面が表示／入力パネル上に表示され、そこでユーザは見開き原稿を複写する両面ブックモード（ブック原稿）を選択し、さらに両面ブックモードにおける各種設定（例えば、原稿中央の綴じ部分の陰について、そのままとする、或いは該当部分を消去または写真処理するかの選択等）をする。
【００７０】
なお、両面ブックモードにおける各種設定において、ユーザに読み取り原稿データのページ分割を行うか否かを選択できるようにしても良い。（以下では、ページ分割を行う設定がなされたものとする。）
【００７１】
ここで、画像処理部１２の原稿データ分割手段によるページ分割は、ここでは見開き原稿を両面印刷する両面ブックモードであることから、第１のページ原稿データおよび第２のページ原稿データの２ページの原稿データに分割してメモリ１４に記憶する処理となる。
【００７２】
第１のページ原稿データおよび第２のページ原稿データを切り分ける手法としては、例えば、ユーザ設定において原稿サイズ（Ａ４、Ｂ４等）および解像度等が設定される場合には、これら情報から見開き原稿全体のデータ容量を算出して、第１のページ原稿データおよび第２のページ原稿データのメモリ１４における記憶容量を該データ容量の２分の１にするようにすれば良い。
【００７３】
或いは、原稿中央の綴じ部分の陰を消去または写真処理する際に、見開き原稿の中央を数量的に求め、該中央から原稿の長辺方向に一定距離の領域を無画像処理または写真処理する場合には、求めた見開き原稿の中央を流用しても良い。
【００７４】
また、本実施例の両面孔版印刷装置１では、両面ブックモードにおける各種設定において、ページ順設定手段により、原稿のページの増順が左から右であるか、或いは右から左であるかを設定するページ順設定を行うことができる点を第２の特徴として持つ。ここで、ページ順設定手段はパネル部２０が該当する。
【００７５】
ページ順設定手段により原稿のページの増順が左から右に設定されているときには、画像処理部１２の原稿データ分割手段は、原稿読取部１０で読み取った左ページおよび右ページのデータを、それぞれ第１のページ原稿データおよび第２のページ原稿データに分割する。また、ページ順設定手段により原稿のページの増順が右から左に設定されているときには、原稿データ分割手段は、左ページおよび右ページのデータを、それぞれ第２のページ原稿データおよび第１のページ原稿データに分割する。
【００７６】
次に、画像処理部１２では、メモリ１４に記憶されている第１のページ原稿データおよび第２のページ原稿データについて画像処理を施し、製版部３０では、画像処理後の第１のページ原稿データおよび第２のページ原稿データに基づき、それぞれ表面用の孔版および裏面用の孔版を製版することとなる。
【００７７】
なお、本実施例の両面孔版印刷装置１では、評価設定手段を介して、第１ドラム５１に着版された孔版により印刷されたファーストプリントについてのユーザ評価を受け付け、ユーザ評価が所定の評価でないときには、製版部３０で第２ドラム５２に着版する孔版を製版しない点を第３の特徴として持つ。ここで、評価設定手段はパネル部２０が該当する。
【００７８】
つまり、製版部３０で画像処理後の第１のページ原稿データに基づき表面用の孔版が製版され、該孔版が第１ドラム５１に着版されて、第１ドラム５１に着版された表面用孔版によるファーストプリントが行われるが、この時にパネル部２０の表示／入力パネルを介して該ファーストプリントについてのユーザ評価の設定を促し、そのユーザ評価を受けて、ユーザ評価が満足の評価であれば、製版部３０で画像処理後の第２のページ原稿データに基づき裏面用の孔版が製版され、該孔版が第２ドラム５２に着版されて、第２ドラム５２に着版された裏面用孔版によるファーストプリントが行われ、印刷スタートボタンが押下された後に印刷動作が開始される。
【００７９】
他方、ユーザ評価が不満足の評価であれば、製版部３０で画像処理後の第２のページ原稿データに基づく裏面用孔版の製版は行われず、先に読み取られた見開き原稿についての複写印刷動作は中止となる。
【００８０】
以上説明したように、本実施例の両面孔版印刷装置およびその孔版製版方法では、原稿読取部１０（原稿読取ステップ）により見開き原稿を読み取り、画像処理部１２の原稿データ分割手段（原稿データ分割ステップ）では、読み取ったデータを第１および第２のページ原稿データに分割してメモリ１４に記憶し、製版部３０（製版ステップ）により、第１および第２のページ原稿データに基づきそれぞれ第１ドラム５１および第２ドラム５２に着版する孔版を製版する。これにより、１回の読み取り動作で見開き原稿を印刷用紙の表裏両面に複写印刷可能な両面孔版印刷装置１および両面孔版印刷装置１における孔版製版方法を実現することができる。
【００８１】
また、本実施例では、両面ブックモードにおける各種設定において、パネル部２０のページ順設定手段（ページ順設定ステップ）により、原稿のページの増順が左から右であるか、或いは右から左であるかを設定するページ順設定を行う。つまり、ページ順設定手段（ページ順設定ステップ）により原稿のページの増順が左から右に設定されているときには、画像処理部１２の原稿データ分割手段により、読み取った左ページおよび右ページのデータをそれぞれ第１のページ原稿データおよび第２のページ原稿データに分割し、また、ページ順設定手段（ページ順設定ステップ）により原稿のページの増順が右から左に設定されているときには、原稿データ分割手段によりそれぞれ第２のページ原稿データおよび第１のページ原稿データに分割する。これにより、原稿のページの増順が左から右に設定されているときは横書き原稿に、また原稿のページの増順が右から左に設定されているときは縦書き原稿に、それぞれその増順のままの順序で印刷可能となる。
【００８２】
さらに、本実施例では、パネル部２０の評価設定手段を介して、第１ドラム５１に着版された孔版により印刷されたファーストプリントについてのユーザ評価を受け付け、ユーザ評価が所定の評価でないときには、製版部３０で第２ドラム５２に着版する孔版を製版しないようにしている。つまり、第１ドラム５１に着版された表面用孔版により印刷されたファーストプリントについてユーザが不満足のときには、その旨を評価設定手段によりユーザ設定して、第２ドラム５２に着版する孔版を製版しないようにすることができ、またドラムに着版して、印刷時に該当ドラムに付属のプレスローラで印圧をかけるという一連の処理も行わずに済むこととなり、結果として、孔版製版の無駄を省くことができる。
【００８３】
〔実施例２〕
次に、本発明の実施例２に係る両面孔版印刷装置およびその孔版製版方法について説明する。実施例２の両面孔版印刷装置の構成は、実施例１（図１および図２）と同等である。したがって、実施例１の両面孔版印刷装置およびその孔版製版方法が奏する効果は、本実施例でも同様に持つこととなる。なお、画像処理部１２に、第１および第２のページ原稿データについてそれぞれ白紙か否かを判定する白紙判定手段を持つ点で実施例１とは異なる。
【００８４】
この白紙判定手段は、画像処理部１２を実現するＭＰＵまたはＤＳＰ上で実行されるプログラムのまとまり（白紙判定ステップ）として具現して良く、また、画像処理部１２をＡＳＩＣ−ＩＣで実現する場合にはハードウェアとして構成しても良い。
【００８５】
プログラム（白紙判定ステップ）として具現する場合には、例えば、メモリ１４に記憶されている第１のページ原稿データおよび第２のページ原稿データについて、それぞれ１画素ずつ白画素か否かを検証していき、ページ原稿データ全画素に対する白画素の割合が所定値以上である場合に白紙であると判定する。ここで所定値は、原稿の周囲や原稿中央の綴じ部分の陰についてそのまま、消去または写真処理の何れかによるかに応じて実験または経験的に設定すれば良い。また、検証途中に黒画素の割合が第２所定値（＝１−所定値）を超えた時点で白紙ではないと判定して、検証を中断するようにしても良い。
【００８６】
また、ハードウェアで構成する場合には、原稿読取部１０からのラインデータを一旦レジスタ等にラッチし、該ラインデータについて白画素の数を計数して記録し、ページ原稿データの全てのラインデータの白画素数の総和に基づき、ページ原稿データ全画素に対する白画素の割合が所定値以上である場合に白紙であると判定する。ここでの所定値は上述のものと同様である。
【００８７】
なお、白紙判定をユーザの判断に委ねる構成としても良い。つまり、パネル部２０に第１または第２のページが白紙である旨を設定する白紙設定手段を備える構成である。例えば、パネル部２０の表示／入力パネルを介した見開き原稿面毎の両面ブックモードにおける各種設定において、左右ページの何れかに白紙がある場合（両ページ共に白紙である場合は想定せず）に、白紙ページを指定するようにするものである。
【００８８】
また、本実施例の両面孔版印刷装置１では、見開き原稿の左または右ページが白紙であるとき（第１または第２のページ原稿データが白紙と判定されたとき）に製版部３０による製版を行うか否かをユーザ設定する白紙無製版設定手段を備えており、製版部３０は、白紙無製版設定手段を介してユーザによる無製版設定がなされたときに、白紙のページ原稿データに対応する孔版を製版しないようにしている。なお、この白紙無製版設定は、見開き原稿面毎の両面ブックモードにおける各種設定において、ユーザに対し製版／無製版判断を促す画面表示を行うようして良い。また、白紙判定手段によって白紙と判定されたときに、その旨をパネル部２０の表示／入力パネルにガイド表示し、ユーザの判断を促すようにしても良い。
【００８９】
さらに、本実施例の両面孔版印刷装置１においても実施例１と同様に、パネル部２０にページ順設定手段および評価設定手段を有している。
【００９０】
次に、本実施例の両面孔版印刷装置１における両面ブックモード時の原稿読み取り、孔版製版および印刷の処理について、図３〜図７を参照して詳細に説明する。ここで、図３および図４は実施例２の両面孔版印刷装置における処理の流れを説明するフローチャートであり、図５は両面ブックモード時の各種設定を行う際のパネル部２０の画面表示を例示する説明図であり、図６はユーザに対し製版／無製版判断を促す画面表示を例示する説明図であり、図７はファーストプリントについてのユーザ評価の設定を促す画面表示を例示する説明図である。
【００９１】
図３および図４のフローチャートは、両面ブックモードが設定され、見開き原稿の左ページを印刷用紙の表面に、見開き原稿の右ページを印刷用紙の裏面にそれぞれ印刷する場合の処理を説明するものである。
【００９２】
まず、パネル部２０でユーザによりスキャンコピーキーが押下されると、各種設定の選択画面が表示／入力パネル上に表示され、そこでユーザは見開き原稿を複写する両面ブックモード（ブック原稿）を選択して各種設定をする（ステップＳ１０１）。
【００９３】
ここで各種設定は、例えば図５に示すパネル部２０の画面表示２２の如く、原稿中央の綴じ部分の陰について、そのままとする（図中「ＯＦＦ２５ａ」）、或いは該当部分を消去（図中「消去２５ｂ」）または写真処理する（図中「写真処理２５ｃ」）かの選択と、ブック原稿そのままの形態での複写印刷か否か（図中「ブックそのまま２６ａ」または「白紙抜き２６ｂ」）の選択とを行う画面が表示されて、ユーザは選択の後、確定２８を押下してユーザ設定を行うこととなる。なお、後者の選択については実施例３において説明する。
【００９４】
またさらに、パネル部２０の白紙無製版設定手段により、図６に示すような製版／無製版判断を促す画面表示２３が表示される。ここでユーザは、見開き原稿の左または右ページが白紙であるとき（第１または第２のページ原稿データが白紙と判定されたとき）に製版部３０による製版を行う（図中「はい」）か、否か（図中「いいえ」）をユーザ設定することとなる。
【００９５】
次に、パネル部２０の製版スタートボタンが押下されると（ステップＳ１０２のＹＥＳ判断）、原稿読取部１０により見開き原稿を読み取り（ステップＳ１０３）、画像処理部１２の原稿データ分割手段では、原稿読取部１０により読み取ったデータを第１および第２のページ原稿データに分割してメモリ１４に記憶する（ステップＳ１０４）。
【００９６】
次に、ステップＳ１０１におけるユーザの両面ブックモード設定で、白紙ページについての無製版設定がなされたか否かが判断される（ステップＳ１０５）。無製版設定がなされたとき（ステップＳ１０５のＹＥＳ判断）は、白紙ページについて製版しないとしてステップＳ１０６の白紙ページ判定に進み、製版設定がなされたとき（ステップＳ１０５のＮＯ判断）は、白紙ページについて製版するとして図４のステップＳ１１１に進む。
【００９７】
次に、画像処理部１２の白紙判定手段（白紙判定ステップ）により、メモリ１４に記憶されている見開き原稿の左または右ページの原稿データ（第１のページ原稿データおよび第２のページ原稿データ）について白紙判定が行われ（ステップＳ１０６）、該白紙判定結果に基づき、左右ページ共に白紙でないときには図４のステップＳ１１１に進み、左右ページ共に白紙のときには図４のステップＳ１２１に進み、左ページが白紙のときには図４のステップＳ１３１に進み、右ページが白紙のときには図４のステップＳ１４１に進む。
【００９８】
次に、ステップＳ１０６の白紙判定の結果、左右ページ共に白紙でないときには、製版部３０により左ページ原稿データ（第１のページ原稿データ）に基づき印刷用紙の表面用の孔版を製版し、該表面用孔版を第１ドラム５１に着版させる（ステップＳ１１１）。
【００９９】
そして、第１ドラム５１に着版された表面用孔版によりファーストプリントを行い（ステップＳ１１２）、パネル部２０の評価設定手段を介して該ファーストプリントについてのユーザ評価を受け付ける（ステップＳ１１３）。例えば、図７に示すようなファーストプリントについてのユーザ評価の設定を促す画面表示４３が表示され、ここでユーザは、ファーストプリントの仕上がりに満足した（図中「はい」）か、否か（図中「いいえ」）をユーザ設定することとなる。
【０１００】
上記ファーストプリントについてのユーザ評価設定が満足（ステップＳ１１３のＧＯＯＤ判断）のときはステップＳ１１４に進み、ユーザ評価設定が不満足（ステップＳ１１３のＮＧ判断）のときは、裏面用孔版の製版は行わず、先に読み取られた見開き原稿についての複写印刷動作は中止となる。
【０１０１】
次に、表面用孔版のファーストプリントについてのユーザ評価設定が満足の場合には、製版部３０により右ページ原稿データ（第２のページ原稿データ）に基づき印刷用紙の裏面用の孔版を製版し、該裏面用孔版を第２ドラム５２に着版させる（ステップＳ１１４）。そして、第２ドラム５２に着版された裏面用孔版によりファーストプリントを行い（ステップＳ１１５）、第１ドラム５１および第２ドラム５２に対してそれぞれ第１プレスローラ６３および第２プレスローラ６４で印圧をかけて印刷処理を行う（ステップＳ１１６）。
【０１０２】
また、ステップＳ１０６の白紙判定の結果、左右ページ共に白紙であるときには、製版部３０による孔版製版、ファーストプリント処理および印刷処理について全て行われない（ステップＳ１２１）。
【０１０３】
また、ステップＳ１０６の白紙判定の結果、左ページが白紙であるときには、製版部３０により右ページ原稿データ（第２のページ原稿データ）に基づき印刷用紙の裏面用の孔版を製版し、該裏面用孔版を第２ドラム５２に着版させる（ステップＳ１３１）。そして、第２ドラム５２に着版された裏面用孔版によりファーストプリントを行い（ステップＳ１３２）、第２ドラム５２に対してのみ第２プレスローラ６４で印圧をかけて印刷処理を行う（ステップＳ１３３）。
【０１０４】
またさらに、ステップＳ１０６の白紙判定の結果、右ページが白紙であるときには、製版部３０により左ページ原稿データ（第１のページ原稿データ）に基づき印刷用紙の表面用の孔版を製版し、該表面用孔版を第１ドラム５１に着版させる（ステップＳ１４１）。そして、第１ドラム５１に着版された表面用孔版によりファーストプリントを行い（ステップＳ１４２）、第１ドラム５１に対してのみ第１プレスローラ６３で印圧をかけて印刷処理を行う（ステップＳ１４３）。
【０１０５】
以上説明したように、本実施例の両面孔版印刷装置およびその孔版製版方法では、実施例１の構成に対し、第１および第２のページ原稿データについてそれぞれ白紙か否かを判定する白紙判定手段（画像処理部１２）を付加し、第１または第２のページ原稿データが白紙であるときには、製版部３０による該ページ原稿データに対応する孔版製版を行わないこととしたので、白紙ページについては孔版を製版せず、また、第１ドラム５１または第２ドラム５２に着版して、印刷時に該当ドラムに付属のプレスローラで印圧をかけるという一連の処理も行わずに済むこととなり、結果として、孔版製版の無駄をできるだけ省いて装置のランニングコストを抑制し得ると共に、印刷までの処理時間をより高速化することができる。
【０１０６】
また、本実施例の両面孔版印刷装置およびその孔版製版方法では、第１または第２のページが白紙である旨を設定する白紙設定手段（パネル部２０）を付加し、第１または第２のページ原稿データが白紙であるときには、製版部３０による該ページ原稿データに対応する孔版製版を行わない。このように、白紙設定手段により左ページまたは右ページが白紙である旨をユーザ設定できるので、上記白紙判定手段が不要となり、白紙判定手段をソフトウェアで実現している場合には該手段が無くなることで処理の高速化を図ることができ、白紙判定手段をハードウェアで実現している場合には該手段が無くなることでコスト低減を図ることができる。
【０１０７】
また、本実施例の両面孔版印刷装置およびその孔版製版方法では、第１または第２のページ原稿データが白紙であるときの製版部３０による製版／無製版を設定する白紙無製版設定手段（パネル部２０）を付加し、該白紙無製版設定手段により無製版設定がなされたときに、製版部３０は白紙のページ原稿データに対応する孔版を製版しない。このように、左ページまたは右ページが白紙であるときの製版部３０による製版／無製版をユーザ設定できるので、よりユーザフレンドリーな両面孔版印刷装置を実現することができる。
【０１０８】
〔実施例３〕
次に、本発明の実施例３に係る両面孔版印刷装置およびその孔版製版方法について説明する。実施例３の両面孔版印刷装置の構成は、実施例１（図１および図２）と同等であり、実施例２と同様に、画像処理部１２に、第１および第２のページ原稿データについてそれぞれ白紙か否かを判定する白紙判定手段を持つ。したがって、実施例１および実施例２の両面孔版印刷装置およびその孔版製版方法が奏する効果は、本実施例でも同様に持つこととなる。なお、実施例３は、両面ブックモードにおいて、雑誌や本などの見開き原稿を複数ページに渡って原稿そのままの状態で複製可能な「ブックそのまま」設定が可能である点で実施例１および実施例２とは異なる。
【０１０９】
この「ブックそのまま」設定下での印刷処理について、図８および図９を参照して説明する。ここで、図８は「ブックそのまま」設定下での印刷処理の概要を説明する説明図であり、図９は「ブックそのまま」設定下でのメモリ１４のメモリマップを説明する説明図である。
【０１１０】
「ブックそのまま」設定下での印刷物は、見開き原稿の左ページが印刷用紙の裏面に、見開き原稿の右ページが次の印刷用紙の表面にそれぞれ印刷され、雑誌や本などの見開き原稿を複数ページに渡って原稿そのままの状態で複製できる。この場合、例えば図８に示すように、第１面および第２面の見開き原稿を印刷するときには３枚の印刷用紙が必要となる。
【０１１１】
つまり、第１面目の見開き原稿（図８（ａ））の左（１）ページは第１の印刷用紙の裏面に印刷され、右（２）ページは第２の印刷用紙の表面にそれぞれ印刷される。また、第２面目の見開き原稿（図８（ｃ））の左（３）ページは第２の印刷用紙の裏面に印刷され、右（４）ページは第３の印刷用紙の表面にそれぞれ印刷される。さらに、最初と最後、即ち第１の印刷用紙の表面と第３の印刷用紙の裏面には白紙が挿入されることとなる。
【０１１２】
このような「ブックそのまま」設定下での印刷処理には、図９に示すように、第１面目の見開き原稿についての第１および第２のページ原稿データを記憶する第１の記憶領域と、第２面目の見開き原稿についての第１および第２のページ原稿データを記憶する第２の記憶領域とが必要である。
【０１１３】
以上説明した「ブックそのまま」設定下での印刷処理を一般化すると、次のようになる。即ち、原稿読取部１０（原稿読取ステップ）によりＮ（Ｎは任意の正整数）面の見開き原稿を読み取り、画像処理部１２の原稿データ分割手段（原稿データ分割ステップ）により、読み取ったデータを第１および第２のページ原稿データに分割し、記憶ステップで、奇数面目の見開き原稿データをメモリ１４の第１の記憶領域に、偶数面目の見開き原稿データを第２の記憶領域にそれぞれ記憶する。そして、製版部３０（製版ステップ）では、印刷物1ページ目の製版時には、メモリ１４の第１の記憶領域における第１のページ原稿データに基づき裏面用の孔版を製版して表面用の孔版を製版せず、また、印刷物３ページ以降の奇数ページ目の製版時には、メモリ１４の第２の記憶領域における第２のページ原稿データに基づき表面用の孔版を製版し、メモリ１４の第１の記憶領域における第１のページ原稿データに基づき裏面用の孔版を製版し、また、印刷物偶数ページ目の製版時には、メモリ１４の第１の記憶領域における第２のページ原稿データに基づき表面用の孔版を製版し、メモリ１４の第２の記憶領域における第１のページ原稿データに基づき裏面用の孔版を製版し、さらに、印刷物Ｎ＋１ページ目の製版時には、メモリ１４の第１または第２の記憶領域における第２のページ原稿データに基づき表面用の孔版を製版し、裏面用の孔版を製版しないこととする。
【０１１４】
次に、本実施例の両面孔版印刷装置１における両面ブックモード時の原稿読み取り、孔版製版および印刷の処理について、図１０および図１１を参照して詳細に説明する。ここで、図１０および図１１は実施例３の両面孔版印刷装置における処理の流れを説明するフローチャートであり、これらフローチャートは、両面ブックモードで且つ「ブックそのまま」が設定された場合の処理を説明するものである。
【０１１５】
まず、パネル部２０でユーザによりスキャンコピーキーが押下されると、各種設定の選択画面が表示／入力パネル上に表示され、そこでユーザは見開き原稿を複写する両面ブックモード（ブック原稿）を選択して各種設定をする（ステップＳ２０１）。
【０１１６】
ここで各種設定は、例えば図５に示すパネル部２０の画面表示２２の如く、原稿中央の綴じ部分の陰についての選択と、ブック原稿そのままの形態での複写印刷か否か（図中「ブックそのまま２６ａ」または「白紙抜き２６ｂ」）の選択とを行う画面が表示され、ここでは少なくとも「ブックそのまま２６ａ」を選択した後、確定２８を押下してユーザ設定が行われることとなる。
【０１１７】
また実施例２と同様に、パネル部２０の白紙無製版設定手段により、図６に示すような製版／無製版判断を促す画面表示２３が表示され、ユーザは、見開き原稿の左または右ページが白紙であるとき（第１または第２のページ原稿データが白紙と判定されたとき）に製版部３０による製版を行う（図中「はい」）か、否か（図中「いいえ」）をユーザ設定することとなる。
【０１１８】
次に、パネル部２０の製版スタートボタンが押下されると（ステップＳ２０２のＹＥＳ判断）、原稿読取部１０により見開き原稿を読み取り（ステップＳ２０３）、画像処理部１２の原稿データ分割手段では、原稿読取部１０により読み取ったデータを第１および第２のページ原稿データに分割して、奇数面目の見開き原稿であればメモリ１４の第１の記憶領域に、また偶数面目の見開き原稿であればメモリ１４の第２の記憶領域にそれぞれ記憶する（ステップＳ２０４）。
【０１１９】
なお、３枚目以降の奇数枚目の印刷用紙への印刷時には、メモリ１４の第２の記憶領域における第２のページ原稿データが前回読み取りの右ページの原稿データであり、第１の記憶領域における第１のページ原稿データが今回読み取りの左ページの原稿データである。また、偶数枚目の印刷用紙への印刷時には、メモリ１４の第１の記憶領域における第２のページ原稿データが前回読み取りの左ページの原稿データであり、第１の記憶領域における第１のページ原稿データが今回読み取りの右ページの原稿データである。
【０１２０】
また、以下の説明は、奇数枚目の印刷用紙への印刷時の処理を行うものとして、前回読み取りの右ページの原稿データ（第２の記憶領域における第２のページ原稿データ）と今回読み取りの左ページの原稿データ（第１の記憶領域における第１のページ原稿データ）とを用いた処理を説明する。なお、１枚目の印刷用紙への印刷時では、前回読み取りは無く、第２の記憶領域における第１および第２のページ原稿データは白紙データとなっている。
【０１２１】
次に、ステップＳ２０１におけるユーザの両面ブックモード設定で、白紙ページについての無製版設定がなされたか否かが判断される（ステップＳ２０５）。無製版設定がなされたとき（ステップＳ２０５のＹＥＳ判断）は、白紙ページについて製版しないとしてステップＳ２０６の白紙ページ判定に進み、製版設定がなされたとき（ステップＳ２０５のＮＯ判断）は、白紙ページについて製版するとして図１１のステップＳ２１１に進む。
【０１２２】
次に、画像処理部１２の白紙判定手段（白紙判定ステップ）により、メモリ１４に記憶されている見開き原稿の左または右ページの原稿データについて白紙判定が行われ（ステップＳ２０６）、該白紙判定結果に基づき、今回読み取りの左ページおよび前回読み取りの右ページ共に白紙でないときには図１１のステップＳ２１１に進み、今回読み取りの左ページおよび前回読み取りの右ページ共に白紙のときには図１１のステップＳ２２１に進み、今回読み取りの左ページが白紙のときには図１１のステップＳ２３１に進み、前回読み取りの右ページが白紙のときには図１１のステップＳ２４１に進む。
【０１２３】
次に、ステップＳ２０６の白紙判定の結果、今回読み取りの左ページおよび前回読み取りの右ページ共に白紙でないときには、製版部３０により前回読み取りの右ページ原稿データに基づき印刷用紙の表面用の孔版を製版し、該表面用孔版を第１ドラム５１に着版させる（ステップＳ２１１）。
【０１２４】
そして、第１ドラム５１に着版された表面用孔版によりファーストプリントを行い（ステップＳ２１２）、パネル部２０の評価設定手段を介して該ファーストプリントについてのユーザ評価を受け付ける（ステップＳ２１３）。例えば、図７に示すようなファーストプリントについてのユーザ評価の設定を促す画面表示４３が表示され、ここでユーザは、ファーストプリントの仕上がりに満足した（図中「はい」）か、否か（図中「いいえ」）をユーザ設定することとなる。
【０１２５】
上記ファーストプリントについてのユーザ評価設定が満足（ステップＳ２１３のＧＯＯＤ判断）のときはステップＳ２１４に進み、ユーザ評価設定が不満足（ステップＳ２１３のＮＧ判断）のときは、裏面用孔版の製版は行わず、先に読み取られた見開き原稿についての複写印刷動作は中止となる。
【０１２６】
次に、表面用孔版のファーストプリントについてのユーザ評価設定が満足の場合には、製版部３０により今回読み取りの左ページ原稿データに基づき印刷用紙の裏面用の孔版を製版し、該裏面用孔版を第２ドラム５２に着版させる（ステップＳ２１４）。そして、第２ドラム５２に着版された裏面用孔版によりファーストプリントを行い（ステップＳ２１５）、第１ドラム５１および第２ドラム５２に対してそれぞれ第１プレスローラ６３および第２プレスローラ６４で印圧をかけて印刷処理を行う（ステップＳ２１６）。
【０１２７】
また、ステップＳ２０６の白紙判定の結果、今回読み取りの左ページおよび前回読み取りの右ページ共に白紙であるときには、製版部３０による孔版製版、ファーストプリント処理および印刷処理について全て行われない（ステップＳ２２１）。
【０１２８】
また、ステップＳ１０６の白紙判定の結果、今回読み取りの左ページが白紙であるときには、製版部３０により前回読み取りの右ページ原稿データに基づき印刷用紙の表面用の孔版を製版し、該表面用孔版を第１ドラム５１に着版させる（ステップＳ２３１）。そして、第１ドラム５１に着版された表面用孔版によりファーストプリントを行い（ステップＳ２３２）、第１ドラム５１に対してのみ第１プレスローラ６３で印圧をかけて印刷処理を行う（ステップＳ２３３）。
【０１２９】
またさらに、ステップＳ１０６の白紙判定の結果、前回読み取りの右ページが白紙であるときには、製版部３０により今回読み取りの左ページ原稿データに基づき印刷用紙の裏面用の孔版を製版し、該裏面用孔版を第２ドラム５２に着版させる（ステップＳ２４１）。そして、第２ドラム５２に着版された裏面用孔版によりファーストプリントを行い（ステップＳ２４２）、第２ドラム５２に対してのみ第２プレスローラ６４で印圧をかけて印刷処理を行う（ステップＳ２４３）。
【０１３０】
以上の処理（奇数枚目の印刷用紙への印刷処理）が終了した後に、今回読み取りの見開き原稿が最終原稿であるか否かを判断する（ステップＳ２５１）。最終原稿であればステップＳ２５２に進み、最終原稿でなければステップＳ２５３に進む。
【０１３１】
今回読み取りの見開き原稿が最終原稿でない場合には、今回読み取りの原稿データ（右ページ原稿データ）をメモリ１４の第１の記憶領域（の第１のページ原稿データ）に保持したまま次ページ処理（偶数枚目の印刷用紙への印刷処理）に移行する（ステップＳ２５３）。
【０１３２】
また、今回読み取りの見開き原稿が最終原稿である場合には、Ｎ＋１枚目の印刷用紙への印刷処理として、製版部３０により今回読み取りの右ページ原稿データに基づき印刷用紙の表面用の孔版を製版し、該表面用孔版を第１ドラム５１に着版させ、第１ドラム５１に着版された表面用孔版によりファーストプリントを行い、さらに、第１ドラム５１に対してのみ第１プレスローラ６３で印圧をかけて印刷処理を行い（ステップＳ２５２）、終了する。
【０１３３】
以上説明したように、本実施例の両面孔版印刷装置およびその孔版製版方法では、原稿読取部１０（原稿読取ステップ）によりＮ（Ｎは任意の正整数）面の見開き原稿を読み取り、画像処理部１２の原稿データ分割手段（原稿データ分割ステップ）により、読み取ったデータを第１および第２のページ原稿データに分割し、記憶ステップで、奇数面目の見開き原稿データをメモリ１４の第１の記憶領域に、偶数面目の見開き原稿データを第２の記憶領域にそれぞれ記憶する。そして、製版部３０（製版ステップ）では、印刷物1ページ目の製版時には、メモリ１４の第１の記憶領域における第１のページ原稿データに基づき裏面用の孔版を製版して表面用の孔版を製版せず、また、印刷物３ページ以降の奇数ページ目の製版時には、メモリ１４の第２の記憶領域における第２のページ原稿データに基づき表面用の孔版を製版し、メモリ１４の第１の記憶領域における第１のページ原稿データに基づき裏面用の孔版を製版し、また、印刷物偶数ページ目の製版時には、メモリ１４の第１の記憶領域における第２のページ原稿データに基づき表面用の孔版を製版し、メモリ１４の第２の記憶領域における第１のページ原稿データに基づき裏面用の孔版を製版し、さらに、印刷物Ｎ＋１ページ目の製版時には、メモリ１４の第１または第２の記憶領域における第２のページ原稿データに基づき表面用の孔版を製版し、裏面用の孔版を製版しない。
【０１３４】
これにより、雑誌や本などの見開き原稿（横書き）を複数ページに渡って両面印刷する場合に、見開き原稿の右ページが印刷用紙の表面に、見開き原稿の左ページが印刷用紙の裏面にそれぞれ印刷されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る両面孔版印刷装置およびその孔版製版方法を実現することができる。
【０１３５】
また、実施例１および実施例２と同様に、本実施例においてもページ順設定手段（ページ順設定ステップ）を備えるので、見開き原稿を複数ページに渡って原稿そのままの状態で複製する際に、読み取った左ページおよび右ページのデータを、ページ順設定手段（ページ順設定ステップ）により原稿のページの増順が左から右に設定されているときには、原稿データ分割手段（原稿データ分割ステップ）によりそれぞれ第１のページ原稿データおよび第２のページ原稿データに分割し、ページ順設定手段（ページ順設定ステップ）により原稿のページの増順が右から左に設定されているときには、原稿データ分割手段（原稿データ分割ステップ）によりそれぞれ第２のページ原稿データおよび第１のページ原稿データに分割することとなる。
【０１３６】
図９〜図１１を参照して行った上記説明は、ページ順設定手段（ページ順設定ステップ）により原稿のページの増順が左から右に設定されている場合であり、横書き原稿に対応するものであったが、ページ順設定手段（ページ順設定ステップ）により原稿のページの増順を右から左に設定することで縦書き原稿にも対応できる。
【０１３７】
〔変形例１〕
以上説明した実施例１、実施例２および実施例３は、両面孔版印刷装置における見開き原稿の両面ブックモードに本発明を適用するものであったが、実施例２における画像処理部１２に白紙判定手段（白紙判定ステップ）を持つ構成は、両面に印刷された原稿を一度に読み取る原稿読取手段を備えた両面孔版印刷装置およびその孔版製版方法にも適用することができる。
【０１３８】
即ち、第１および第２のドラムを備えた両面孔版印刷装置（およびその孔版製版方法）であって、両面に印刷された原稿を読み取る原稿読取手段（原稿読取ステップ）と、原稿の表面および裏面をそれぞれ第１および第２のページとして、原稿読取手段（原稿読取ステップ）により読み取った第１および第２のページ原稿データについてそれぞれ白紙か否かを判定する白紙判定手段（白紙判定ステップ）と、第１および第２のページ原稿データに基づきそれぞれ前記第１および第２のドラムに着版する孔版を製版する製版手段（製版ステップ）と、を有し、製版手段（製版ステップ）は、第１または第２のページ原稿データが白紙であるとき、該ページ原稿データに対応する孔版を製版しないとするものである。
【０１３９】
ここで、両面に印刷された原稿を読み取る原稿読取手段は、実施例１で説明した両面に印刷された原稿を読み取る原稿読取部１０において、例えば、搬送されてきた原稿に対して上側および下側に２個のイメージセンサを持つ構成とするか、或いは、実施例１で説明した両面に印刷された原稿を読み取る原稿読取部１０に原稿用紙反転機構を付加して、１個のイメージセンサで両面を読み取る構成とすれば良い。
【０１４０】
これにより、両面に印刷された原稿を読み取って両面印刷する際に、読み取った第１および第２のページ原稿データについて白紙判定手段（白紙判定ステップ）によりそれぞれ白紙か否かを判定し、第１または第２のページ原稿データが白紙であるとき、製版手段（製版ステップ）において該ページ原稿データに対応する孔版を製版しないので、白紙ページについては孔版を製版せず、またドラムに着版して、印刷時に該当ドラムに付属のプレスローラで印圧をかけるという一連の処理も行わずに済むこととなり、結果として、孔版製版の無駄をできるだけ省いて装置のランニングコストを抑制できると共に、印刷までの処理時間をより高速化し得る両面孔版印刷装置（およびその孔版製版方法）を実現することができる。
【０１４１】
また、この両面に印刷された原稿を読み取って両面印刷する両面孔版印刷装置（およびその孔版製版方法）に、実施例１で説明した評価設定手段（評価設定ステップ）、並びに、実施例２において説明した白紙設定手段（白紙設定ステップ）および白紙無製版設定手段（白紙無製版設定ステップ）も適用可能であり、その適用により同等の効果を奏することができる。
【０１４２】
また、以上説明した実施例１、実施例２および実施例３は、第１ドラム５１および第２ドラム５２を備えた２ドラム方式の両面孔版印刷装置に本発明を適用するものであったが、１つのドラムに表面用孔版および裏面用孔版をそれぞれ独立した制御で着版可能な１ドラム方式の両面孔版印刷装置にも本発明を適用することができ、またその適用により同等の効果を奏することができる。
【０１４３】
〔変形例２〕
また、上述した実施例３では、両面ブックモードにおける見開き原稿そのままの状態で複製可能とした「ブックそのまま」設定を両面孔版印刷装置に適用したが、この「ブックそのまま」複写機能は、両面孔版印刷装置に限定されることなく、他の複写機や印刷装置に適用可能である。つまり、「ブックそのまま」複写機能は複写または印刷を行うための画像形成に特徴がある。ここでは、図１における原稿読取部１０、Ａ／Ｄ変換部１１、画像処理部１２、制御部１３、メモリ１４およびパネル部２０を本変形例の画像形成装置の構成として流用し、「ブックそのまま」設定下での画像形成処理を一般化すると、以下のようになる。
【０１４４】
即ち、原稿読取部１０（原稿読取ステップ）によりＮ（Ｎは任意の正整数）面の見開き原稿を読み取り、画像処理部１２の原稿データ分割手段（原稿データ分割ステップ）により、読み取ったデータを第１および第２のページ原稿データに分割し、記憶ステップで、奇数面目の見開き原稿データをメモリ１４の第１の記憶領域に、偶数面目の見開き原稿データを第２の記憶領域にそれぞれ記憶する。そして、制御部１３（制御ステップ）では、１ページ目の印刷用紙への印刷時には、第１の記憶領域における第１のページ原稿データに基づき裏面の印刷をし、表面の印刷をせず、偶数ページ目の印刷用紙への印刷時には、第１の記憶領域における第２のページ原稿データに基づき表面の印刷をすると共に、第２の記憶領域における第１のページ原稿データに基づき裏面の印刷をし、３ページ目以降の奇数ページ目の印刷用紙への印刷時には、第２の記憶領域における第２のページ原稿データに基づき表面の印刷をすると共に、第１の記憶領域における第１のページ原稿データに基づき裏面の印刷をし、Ｎ＋１ページ目の印刷用紙への印刷時には、第１または第２の記憶領域における第２のページ原稿データに基づき表面を印刷し、裏面の印刷をしないよう制御する。
【０１４５】
これにより、雑誌や本などの見開き原稿（横書き）を複数ページに渡って両面印刷する際に、見開き原稿の右ページが印刷用紙の表面に、見開き原稿の左ページが印刷用紙の裏面にそれぞれ印刷されるように画像形成されることとなり、印刷された複数ページを綴じてみたとき、原稿（雑誌や本など）そのままの状態で複製することができ、結果として雑誌や本などの見開き原稿を複数ページに渡って原稿そのままの状態で複製し得る画像形成装置の画像形成方法を実現することができる。
【０１４６】
また、本変形例の画像形成装置およびその画像形成方法においても、実施例１〜実施例３の両面孔版印刷装置およびその孔版製版方法と同様に、ページ順設定手段（ページ順設定ステップ）を備えた構成とし、見開き原稿を複数ページに渡って原稿そのままの状態で複製する際に、読み取った左ページおよび右ページのデータを、ページ順設定手段（ページ順設定ステップ）により原稿のページの増順が左から右に設定されているときには、原稿データ分割手段（原稿データ分割ステップ）によりそれぞれ第１のページ原稿データおよび第２のページ原稿データに分割し、ページ順設定手段（ページ順設定ステップ）により原稿のページの増順が右から左に設定されているときには、原稿データ分割手段（原稿データ分割ステップ）によりそれぞれ第２のページ原稿データおよび第１のページ原稿データに分割するようにしても良い。これにより、原稿のページの増順が左から右に設定されているときは横書き原稿に対応でき、原稿のページの増順が右から左に設定されているときは縦書き原稿に対応できる。
【０１４７】
〔変形例３〕
また、上述した実施例３および変形例２では、雑誌や本などの見開き原稿を複数ページに渡って原稿そのままの状態で複製する「ブックそのまま」複写機能について説明したが、雑誌や本などの表紙（表表紙および裏表紙）をも印刷するようにしても良い。例えば実施例３では、図８に示した例において、最初と最後、即ち第１の印刷用紙の表面と第３の印刷用紙の裏面に白紙を挿入していたが、第１の印刷用紙の表面には表表紙を、また第３の印刷用紙の裏面には裏表紙をそれぞれ印刷するようにすれば、印刷用紙を有効に活用することができる。
【０１４８】
図８を流用して、このような「表紙を含むブックそのまま」設定下での印刷処理を説明すると、第１面目の見開き原稿は表表紙および裏表紙となり、第２面目の見開き原稿は図８（ａ）、第３面目の見開き原稿は図８（ｃ）となる。この「表紙を含むブックそのまま」設定下での印刷処理には、偶数面目（第２面目）の見開き原稿についての第１および第２のページ原稿データを記憶する第１の記憶領域と、１面目を除く奇数面目（第３面目）の見開き原稿についての第１および第２のページ原稿データを記憶する第２の記憶領域と（図９参照）に加えて、１面目の見開き原稿（表表紙および裏表紙）についてそれぞれ第２および第１のページ原稿データとして記憶する第３の記憶領域が必要である。
【０１４９】
以上説明した「表紙を含むブックそのまま」設定下での印刷処理および画像形成処理を一般化すると、次のようになる。
【０１５０】
（１）  第１および第２のドラムを備えた両面孔版印刷装置であって、
Ｎ（Ｎは任意の正整数）面の見開き原稿を読み取る原稿読取手段と、
前記原稿読取手段により読み取ったデータを第１および第２のページ原稿データに分割する原稿データ分割手段と、
偶数面目の見開き原稿データを第１の記憶領域に、１面目を除く奇数面目の見開き原稿データを第２の記憶領域に、１面目の見開き原稿データを第３の記憶領域に、それぞれ記憶する記憶手段と、
印刷物1ページ目の製版時には、前記第３の記憶領域における第２のページ原稿データに基づき表面用の孔版を製版し、前記第１の記憶領域における第１のページ原稿データに基づき裏面用の孔版を製版し、印刷物３ページ以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎページ目の製版時には、前記第１または第２の記憶領域における第２のページ原稿データに基づき表面用の孔版を製版し、前記第３の記憶領域における第１のページ原稿データに基づき裏面用の孔版を製版する製版手段と、
を有することを特徴とする両面孔版印刷装置。
【０１５１】
（２）  原稿のページの増順が左から右であるか、或いは右から左であるかを設定するページ順設定手段を有し、
前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする（１）に記載の両面孔版印刷装置。
【０１５２】
（３）  画像形成部を有する画像形成装置であって、
Ｎ（Ｎは任意の正整数）面の見開き原稿を読み取る原稿読取手段と、
前記原稿読取手段により読み取ったデータを第１および第２のページ原稿データに分割する原稿データ分割手段と、
偶数面目の見開き原稿データを第１の記憶領域に、１面目を除く奇数面目の見開き原稿データを第２の記憶領域に、１面目の見開き原稿データを第３の記憶領域に、それぞれ記憶する記憶手段と、
１ページ目の印刷用紙への印刷時には、前記第３の記憶領域における第２のページ原稿データに基づき表面用の印刷をすると共に、前記第１の記憶領域における第１のページ原稿データに基づき裏面の印刷をし、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面の印刷をすると共に、前記第３の記憶領域における第１のページ原稿データに基づき裏面用の印刷をするよう制御する制御手段と、
を有することを特徴とする画像形成装置。
【０１５３】
（４）  原稿のページの増順が左から右であるか、或いは右から左であるかを設定するページ順設定手段を有し、
前記原稿データ分割手段は、前記原稿読取手段により読み取った左ページおよび右ページのデータを、前記ページ順設定手段により原稿のページの増順が左から右に設定されているとき、それぞれ第１のページ原稿データおよび第２のページ原稿データに分割し、前記ページ順設定手段により原稿のページの増順が右から左に設定されているとき、それぞれ第２のページ原稿データおよび第１のページ原稿データに分割することを特徴とする（３）に記載の画像形成装置。
【０１５４】
（５）  第１および第２のドラムを備えた両面孔版印刷装置の孔版製版方法であって、
Ｎ（Ｎは任意の正整数）面の見開き原稿を読み取る原稿読取ステップと、
前記原稿読取手段により読み取ったデータを第１および第２のページ原稿データに分割する原稿データ分割ステップと、
偶数面目の見開き原稿データを第１の記憶領域に、１面目を除く奇数面目の見開き原稿データを第２の記憶領域に、１面目の見開き原稿データを第３の記憶領域に、それぞれ記憶する記憶ステップと、
印刷物1ページ目の製版時には、前記第３の記憶領域における第２のページ原稿データに基づき表面用の孔版を製版し、前記第１の記憶領域における第１のページ原稿データに基づき裏面用の孔版を製版し、印刷物３ページ以降の奇数ページ目の製版時には、前記第２の記憶領域における第２のページ原稿データに基づき表面用の孔版を製版し、前記第１の記憶領域における第１のページ原稿データに基づき裏面用の孔版を製版し、印刷物偶数ページ目の製版時には、前記第１の記憶領域における第２のページ原稿データに基づき表面用の孔版を製版し、前記第２の記憶領域における第１のページ原稿データに基づき裏面用の孔版を製版し、印刷物Ｎページ目の製版時には、前記第１または第２の記憶領域における第２のページ原稿データに基づき表面用の孔版を製版し、前記第３の記憶領域における第１のページ原稿データに基づき裏面用の孔版を製版する製版ステップと、
を有することを特徴とする両面孔版印刷装置の孔版製版方法。
【０１５５】
（６）  画像形成部を有する画像形成装置の画像形成方法であって、
Ｎ（Ｎは任意の正整数）面の見開き原稿を読み取る原稿読取ステップと、
前記原稿読取手段により読み取ったデータを第１および第２のページ原稿データに分割する原稿データ分割ステップと、
偶数面目の見開き原稿データを第１の記憶領域に、１面目を除く奇数面目の見開き原稿データを第２の記憶領域に、１面目の見開き原稿データを第３の記憶領域に、それぞれ記憶する記憶ステップと、
１ページ目の印刷用紙への印刷時には、前記第３の記憶領域における第２のページ原稿データに基づき表面用の印刷をすると共に、前記第１の記憶領域における第１のページ原稿データに基づき裏面の印刷をし、偶数ページ目の印刷用紙への印刷時には、前記第１の記憶領域における第２のページ原稿データに基づき表面の印刷をすると共に、前記第２の記憶領域における第１のページ原稿データに基づき裏面の印刷をし、３ページ目以降の奇数ページ目の印刷用紙への印刷時には、前記第２の記憶領域における第２のページ原稿データに基づき表面の印刷をすると共に、前記第１の記憶領域における第１のページ原稿データに基づき裏面の印刷をし、Ｎ＋１ページ目の印刷用紙への印刷時には、前記第１または第２の記憶領域における第２のページ原稿データに基づき表面の印刷をすると共に、前記第３の記憶領域における第１のページ原稿データに基づき裏面用の印刷をするよう制御する制御ステップと、
を有することを特徴とする画像形成装置の画像形成方法。
【０１５６】
以上説明した本変形例の両面孔版印刷装置およびその孔版製版方法並びに画像形成装置およびその画像形成方法によれば、実施例３および変形例２と同等の効果を奏すると共に、最初と最後に挿入されていた白紙にそれぞれ表表紙と裏表紙を印刷するので、印刷用紙を有効に活用することができる。
【図面の簡単な説明】
【０１５７】
【図１】本発明の実施例に係る両面孔版印刷装置の機能的な構成を示す構成図である。
【図２】本発明の実施例に係る両面孔版印刷装の全体的な構造を示す構成図である。
【図３】実施例２の両面孔版印刷装置における処理の流れを説明するフローチャート（その１）である。
【図４】実施例２の両面孔版印刷装置における処理の流れを説明するフローチャート（その２）である。
【図５】両面ブックモード時の各種設定を行う際のパネル部２０の画面表示を例示する説明図である。
【図６】ユーザに対し製版／無製版判断を促す画面表示を例示する説明図である。
【図７】ファーストプリントについてのユーザ評価の設定を促す画面表示を例示する説明図である。
【図８】「ブックそのまま」設定下での印刷処理の概要を説明する説明図である。
【図９】「ブックそのまま」設定下でのメモリ１４のメモリマップを説明する説明図である。
【図１０】実施例３の両面孔版印刷装置における処理の流れを説明するフローチャート（その１）である。
【図１１】実施例３の両面孔版印刷装置における処理の流れを説明するフローチャート（その２）である。
【符号の説明】
【０１５８】
１  両面孔版印刷装置
１０  原稿読取部
１１  Ａ／Ｄ変換部
１２  画像処理部
１３  制御部
１４  メモリ
１５  原稿読取部駆動回路
１６  製版部駆動回路
１７  印刷部駆動回路
２０  パネル部
３０  製版部
４１  第１排版部
４２  第２排版部
５１  第１ドラム
５２  第２ドラム
６１  第１プレス部
６２  第２プレス部
６３  第１プレスローラ
６４  第２プレスローラ
７１  給紙部
７２  経路切替部
７３  用紙反転部
７４  排紙部
７５  搬入部
７６  搬出部
【図１】
2010125628.tif 000003
【図２】
2010125628.tif 000004
【図３】
2010125628.tif 000005
【図４】
2010125628.tif 000006
【図５】
2010125628.tif 000007
【図６】
2010125628.tif 000008
【図７】
2010125628.tif 000009
【図８】
2010125628.tif 000010
【図９】
2010125628.tif 000011
【図１０】
2010125628.tif 000012
【図１１】
2010125628.tif 000013